(57)【要約】  回路基板コネクタは、ハウジングと、ハウジング中に配置されている少なくとも１つの信号接触と、ハウジングに取り付けられている一組のロックアームとを備えている。ハウジングは、回路基板を収容するための、その中に形成されているスロットを有する。各ロックアームは、スロット中に移動可能に配置されているラッチを有している。１組のロックアームは、回路基板をコネクタにロックするために、スロットをブロックするようにラッチが位置づけられているロック位置と、コネクタから回路基板の取り外しを可能にするために、スロット中にクリアランスを形成するようにラッチが位置づけられているアンロック位置との間で、ハウジングに対して弾性的に変形可能である。【選択図】図１
2018526803.tif 000002
【特許請求の範囲】
【請求項１】
電気コネクタであって、
その中に形成されているスロットを有するハウジングと、
前記ハウジング中に配置されている少なくとも１つの信号接触と、
前記ハウジングに取り付けられている一組のロックアームとを備え、
各ロックアームはラッチを有し、
前記１組のロックアームは、前記スロット中のクリアランスをブロックするように前記ラッチが位置づけられているロック位置と前記スロット中に前記クリアランスを形成するように前記ラッチが位置づけられているアンロック位置との間で、前記ハウジングに対して弾性的に変形可能である、電気コネクタ。
【請求項２】
前記各ロックアームのラッチは、前記ハウジングの前側に面する傾斜面を有し、
前記スロットに挿入される回路基板の保持部分によって隣接する前記傾斜面上で、前記各ロックアームのラッチは、前記クリアランスを形成するように前記ロック位置から前記アンロック位置に移動し、
前記保持部分が前記傾斜面を通過した後、前記各ロックアームのラッチは、前記クリアランスをブロックするように、前記アンロック位置から前記ロック位置に戻る、請求項１に記載の電気コネクタ。
【請求項３】
前記保持部分が前記傾斜面を通過した後、前記各ロックアームのラッチは、前記回路基板が前記スロットから取り除かれることを防ぐため、前記保持部分を係合するように、前記アンロック位置から前記ロック位置に戻る、請求項２に記載の電気コネクタ。
【請求項４】
前記ハウジングに結合される作動部材をさらに備え、
前記作動部材は、オリジナル位置とたわんだ位置との間で前記ハウジングに対して弾性的に変形可能である１組の作動アームを有し、
前記各ロックアームのラッチは、前記１組の作動アームが前記オリジナル位置にあるとき、前記ロック位置のままであることが可能であり、
前記たわんだ位置に向けて移動されるとき、前記１組の作動アームは、前記１組のロック手段を前記アンロック位置に動かすように前記１組のロックアームに対してバイアスさせる、請求項２に記載の電気コネクタ。
【請求項５】
前記作動部材は、前記１組の作動アームの間を接続する横材をさらに備え、
前記横材は、前記オリジナル位置から前記たわんだ位置に前記１組の作動アームを移動するための外力を受け取る、請求項４に記載の電気コネクタ。
【請求項６】
前記作動部材は、前記横材に接続されている１組の側板をさらに備え、
前記１組の側板は、前記ハウジングに固定して取り付けられ、
前記横材と前記１組の作動アームは、前記１組の側板に対して弾性的に変形可能である、請求項５に記載の電気コネクタ。
【請求項７】
前記ハウジングに移動可能に取り付けられているストッパーをさらに備え、
前記ハウジングと前記横材との間の空間に位置付けられると、前記ストッパーは、前記オリジナル位置から前記たわんだ位置にたわむこと防ぎ、前記ストッパーが前記空間から取り除かれた後、前記１組の作動アームは、前記オリジナル位置から前記たわんだ位置にたわむことが可能である、請求項６に記載の電気コネクタ。
【請求項８】
前記作動部材は、前記横材に接続されているベース部材をさらに備え、
前記ベース部材は前記ハウジングに固定して取り付けられ、
前記横材と前記１組の作動アームは、前記ベース部材に対して弾性的に変形可能である、請求項５に記載の電気コネクタ。
【請求項９】
前記作動部材は、前記ベース部材から突出し、前記ハウジング中に配置される少なくとも１つのアース端子さらに備える、請求項８に記載の電気コネクタ。
【請求項１０】
前記少なくとも１つのアース端子は、前記スロットの上側に位置付けられているアース接触部分を有し、
前記少なくとも１つの信号端子は、前記スロットの下側に位置付けられている信号接触部分を有する、請求項９に記載の電気コネクタ。
【請求項１１】
前記作動部材は、前記ベース部材に接続され、前記ハウジングに固定して取り付けられている１組の側板をさらに備える、請求項８に記載の電気コネクタ。
【請求項１２】
前記ハウジングに取り付けられ、前記スロットの下側に位置付けられているアース接触部分を有する少なくとも１つのアース端子をさらに備える、請求項１に記載の電気コネクタ。
【請求項１３】
前記少なくとも１つの信号端子は、前記スロットの下側に位置付けられている信号接触部分を有する、請求項１２に記載の電気コネクタ。
【発明の詳細な説明】
【発明の分野】
【０００１】
本発明は、電気コネクタに関し、より具体的には、回路基板コネクタに関する。
【背景】
【０００２】
回路基板コネクタのような電気コネクタは、電子デバイスおよびシステムで広く使用されている。電気接続性を向上させるために、回路基板を回路基板コネクタに固定する要求があることが多い。したがって、回路基板と回路基板コネクタとの間に安全で信頼性の高い接続を確保する必要がある。
【概要】
【０００３】
本発明の実施形態は、ハウジングと、ハウジング中に配置されている少なくとも１つの信号接触と、ハウジングに取り付けられている１組のロックアームとを備える回路基板コネクタを提供する。ハウジングは、回路基板を収容するための、その中に形成されるスロットを有している。各ロックアームは、スロット中に移動可能に配置されるラッチを有している。１組のロックアームは、回路基板をコネクタにロックするために、ラッチがスロットをブロックするように位置付けられているロック位置と、コネクタから回路基板の取り外しを可能にするために、ラッチがスロット中にクリアランスを形成するように位置付けられているアンロック位置との間で、ハウジングに対して弾性的に変形可能である。
【０００４】
添付の図面とともに、後続する詳細な説明と添付の特許請求の範囲から、他の特性が明らかになるだろう。
【図面の簡単な説明】
【０００５】
添付の図面は、同様の参照番号が、別の説明を通して、同じまたは機能的に類似する要素を指し、以下の詳細の説明と共に明細書中に組み込まれ、明細書の一部分を形成し、さまざまな実施形態を図示して、実施形態にしたがうさまざまな原理および利点を説明するのに役立つ。
【図１】図１は、本発明の１つの実施形態にしたがう回路基板コネクタの斜視図である。
【図２】図２は、図１中に描いたような回路基板コネクタ、および、回路基板コネクタに接続される回路基板の斜視図である。
【図３】図３は、図２の分解斜視図である。
【図４Ａ】図４Ａは、Ａ−Ａに沿った図１の断面斜視図である。
【図４Ｂ】図４Ｂは、図４Ａの側面図である。
【図４Ｃ】図４Ｃは、回路基板に接続される回路基板と図４Ａの側面図である。
【図４Ｄ】図４Ｄは、回路基板コネクタに接続されている回路基板と図４Ａの側面図である。
【図４Ｅ】図４Ｅは、Ｂ−Ｂに沿った図１の断面側面図である。
【図５】図５は、図１中に描いた回路基板コネクタの１組のロックアームと作動部材を示す斜視図である。
【図６Ａ】図６Ａは、Ｃ−Ｃに沿った図５の断面斜視図である。
【図６Ｂ】図６Ｂは、Ｄ−Ｄに沿った図５中に描いた金属シールドの部分的断面図である。
【図７】図７は、図１中に示す回路基板コネクタと回路基板コネクタに接続されている回路基板の斜視図である。
【図８】図８は、Ｅ−Ｅに沿って図７中に描いた回路基板コネクタの拡大部分的断面図である。
【図９】図９は、Ｆ−Ｆに沿って図７中に描いた回路基板コネクタの拡大部分的断面図である。
【図１０Ａ】図１０Ａは、Ａ−Ａに沿った図１の断面側面図であり、図１中に描いたように、回路基板を回路基板コネクタに接続するプロセスを描いている。
【図１０Ｂ】図１０Ｂは、Ａ−Ａに沿った図１の断面側面図であり、図１中に描いたように、回路基板を回路基板コネクタに接続するプロセスを描いている。
【図１０Ｃ】図１０Ｃは、Ａ−Ａに沿った図１の断面側面図であり、図１中に描いたように、回路基板を回路基板コネクタに接続するプロセスを描いている。
【図１１Ａ】図１１Ａは、Ａ−Ａに沿った図１の断面側面図であり、図１中に描いたように、回路基板コネクタから回路基板を取り外すプロセスを描いている。
【図１１Ｂ】図１１Ｂは、Ａ−Ａに沿った図１の断面側面図であり、図１中に描いたように、回路基板コネクタから回路基板を取り外すプロセスを描いている。
【図１１Ｃ】図１１Ｃは、Ａ−Ａに沿った図１の断面側面図であり、図１中に描いたように、回路基板コネクタから回路基板を取り外すプロセスを描いている。
【図１２】図１２は、本発明の別の実施形態にしたがう回路基板コネクタの斜視図である。
【図１３】図１３は、図１２中に示した回路基板コネクタの作動部材とストッパーを示す斜視図である。
【図１４】図１４は、作動部材と作動部材に係合されているストッパーを示す斜視図である。
【図１５】図１５は、Ｇ−Ｇに沿った図１４中に描いた作動部材の断面図である。
【図１６】図１６は、Ｈ−Ｈに沿った図１２中に描いた回路基板コネクタの部分的断面図である。
【図１７Ａ】図１７Ａは、Ｈ−Ｈに沿った図１２の断面側面図であり、図１２中に描いたように、回路基板を回路基板コネクタに接続するプロセスを描いている。
【図１７Ｂ】図１７Ｂは、Ｈ−Ｈに沿った図１２の断面側面図であり、図１２中に描いたように、回路基板を回路基板コネクタに接続するプロセスを描いている。
【図１７Ｃ】図１７Ｃは、Ｈ−Ｈに沿った図１２の断面側面図であり、図１２中に描いたように、回路基板を回路基板コネクタに接続するプロセスを描いている。
【図１８Ａ】図１８Ａは、Ｈ−Ｈに沿った図１２の断面側面図であり、図１２中に描いたように、回路基板コネクタから回路基板を取り外すプロセスを描いている。
【図１８Ｂ】図１８Ｂは、Ｈ−Ｈに沿った図１２の断面側面図であり、図１２中に描いたように、回路基板コネクタから回路基板を取り外すプロセスを描いている。
【図１８Ｃ】図１８Ｃは、Ｈ−Ｈに沿った図１２の断面側面図であり、図１２中に描いたように、回路基板コネクタから回路基板を取り外すプロセスを描いている。
【図１８Ｄ】図１８Ｄは、Ｈ−Ｈに沿った図１２の断面側面図であり、図１２中に描いたように、回路基板コネクタから回路基板を取り外すプロセスを描いている。
【図１９】図１９は、本発明のさらに別の実施形態にしたがう回路基板コネクタの斜視図である。
【図２０】図２０は、図１９中に描いたような回路基板コネクタと回路基板コネクタに接続される回路基板の斜視図である。
【図２１】図２１は、図２０の分解斜視図である。
【図２２Ａ】図２２Ａは、Ｉ−Ｉに沿った図１９の断面側面図である。
【図２２Ｂ】図２２Ｂは、図１９中に描いた回路基板コネクタの作動部材の斜視図である。
【図２２Ｃ】図２２Ｃは、図１９中に描いた回路基板コネクタの作動部材の下面斜視図である。
【図２３】図２３は、線Ｊ−Ｊに沿って図２２Ａ中に描いた作動部材の断面図である。
【図２４】図２４は、Ｋ−Ｋに沿って図２２Ａ中に描いた作動部材の部分的断面図である。
【図２５】図２５は、図１９中に示す回路基板コネクタと回路基板コネクタに接続されている回路基板の斜視図である。
【図２６】図２６は、Ｋ−Ｋに沿った図２５中に描いた電気コネクタの拡大部分的断面図である。
【図２７】図２７は、Ｌ−Ｌに沿った図２５中に描いた回路基板コネクタの拡大部分的断面図である。
【図２８Ａ】図２８Ａは、Ｈ−Ｈに沿った図１９中の断面側面図であり、図１９中に描いたように、回路基板を回路基板コネクタに接続するプロセスにおけるラッチを示す。
【図２８Ｂ】図２８Ｂは、Ｈ−Ｈに沿った図１９中の断面側面図であり、図１９中に描いたように、回路基板を回路基板コネクタに接続するプロセスにおけるラッチを示す。
【図２８Ｃ】図２８Ｃは、Ｈ−Ｈに沿った図１９中の断面側面図であり、図１９中に描いたように、回路基板を回路基板コネクタに接続するプロセスにおけるラッチを示す。
【図２９Ａ】図２９Ａは、Ｈ−Ｈに沿った図１９中の断面側面図であり、図１９中に描いたように、回路基板コネクタから回路基板を取り外すプロセスにおけるラッチを示す。
【図２９Ｂ】図２９Ｂは、Ｈ−Ｈに沿った図１９中の断面側面図であり、図１９中に描いたように、回路基板コネクタから回路基板を取り外すプロセスにおけるラッチを示す。
【図２９Ｃ】図２９Ｃは、Ｈ−Ｈに沿った図１９中の断面側面図であり、図１９中に描いたように、回路基板コネクタから回路基板を取り外すプロセスにおけるラッチを示す。
【図３０Ａ】図３０Ａは、Ｈ−Ｈに沿った図１９の断面側面図であり、図２８Ａ、２８Ｂ、２８Ｃ中に描いたように、回路基板を回路基板コネクタに接続するプロセスにおける信号接触およびアース端子を示す。
【図３０Ｂ】図３０Ｂは、Ｈ−Ｈに沿った図１９の断面側面図であり、図２８Ａ、２８Ｂ、２８Ｃ中に描いたように、回路基板を回路基板コネクタに接続するプロセスにおける信号接触およびアース端子を示す。
【詳細な説明】
【０００６】
図１、２、３、４Ａおよび４Ｂを参照すると、回路基板コネクタ１００は、ハウジング１１０、ハウジング１１０中に配置されている少なくとも１つの信号接触１２９、ハウジング１１０に取り付けられている１組のロックアーム１１２Ａおよび１１２Ｂを備えている。ハウジング１１０は、ハウジング１１０の前側１０２に開いているスロット１０７を有している。スロット１０７は、回路基板５０をハウジング１１０に収容するためのものであり、回路基板５０と回路基板コネクタ１００の少なくとも１つの信号接触１２９との間の電気的接続を確立する。ロックアーム１１２Ａ、１１２Ｂそれぞれは、その上に形成されるラッチ１２４Ａ、１２４Ｂを有している。１組のロックアーム１２２Ａ、１２２Ｂは、ロック位置とアンロック位置との間でハウジング１１０に対して弾性的に変形可能である。図４Ｂ中に実線で示すように、ロック位置において、ラッチ１２４Ａはスロット１０７中に位置付けられ、スロット１０７の高さ（ｆｕｌｌ  ｈｅｉｇｈｔ）１０７Ａをブロックする。図４Ｂ中に点線で示すように、アンロック位置において、ラッチ１２４Ａ’はスロット１０７を部分的にブロックするように、すなわち、スロット１０７の高さ方向にクリアランス１０７Ｂを形成するように位置付けられている。
【０００７】
図４Ｃ中で示すように、各ラッチ１２４Ａ、１２４Ｂ（図４Ｃ中ではラッチ１２４Ａのみが示されている）は、ハウジング１１０の前側１０２に面する傾斜面１２４２Ａを有している。回路基板５０は、回路基板コネクタ１００に接続するために、ハウジング１１０の前側１０２からスロット１０７に挿入されることになる。回路基板５０は、側面に形成されている２つの開口またはノッチ５２、５４、および、その前端において保持部分５１を有している。挿入方向５０Ａに沿って、スロット１０７への回路基板５０の挿入プロセスの間、保持部分５１は、ラッチ１２４Ａの傾斜面１２３２Ａに対して隣接し、たわみ（ｄｅｆｌｅｃｔｉｏｎ）方向１２４４Ａに沿って、ラッチ１２４Ａをロック位置からアンロック位置に下方に移動させる。図４Ｄ中に示すように、保持部分５１が傾斜面１２４２Ａを通過した後、ラッチ１２４Ａは、ノッチ５２に沿って位置付けられ、戻り方向１２４６Ａに沿ってアンロック位置からロック位置に戻ることが可能である。ロック位置において、ラッチ１２４Ａは、回路基板５０がスロット１０７から取り除かれることを防ぐように、スロット１０７のクリアランス１０７Ｂをブロックして、回路基板５０の保持部分５１を係合する。ラッチ１２４Ｂおよびロックアーム１２２Ｂは、ラッチ１２４Ａおよびロックアーム１２２Ａと同じ方法で、同じ、対称的な構造および動作を有している。
【０００８】
図３および４Ｅ中に示すように、回路基板コネクタ１００は、ハウジング１１０に取り付けられている少なくとも１つのアース端子１３０を含んでいてもよい。アース端子１３０は、接触部分１３０Ａを有しており、接触部分１３０Ａは、信号接触１２９の接触部分１２９Ａと同じスロット１０７の側に配置される。
【０００９】
回路基板コネクタ１００は、ハウジング１１０に結合されている作動部材１２０をさらに含んでいる。作動部材１２０は、ロックアーム１２２Ａ、１２２Ｂのうちのそれぞれ１つに隣接して位置付けられている１組の作動アーム１２６Ａ、１２６Ｂを有している。図５、６Ａ、６Ｂ、７、８、および、９中に示すように、ロックアーム１２２Ａおよび１２２Ｂは、ハウジング１１０に取り付けられ、それぞれ、作動アーム１２６Ａおよび１２６Ｂに隣接して、および、作動アーム１２６Ａおよび１２６Ｂの下方向４０６に配置され、作動アーム１２６Ａおよび１２６Ｂの下方向４０６への動きは、それぞれロックアーム１２２Ａおよび１２２Ｂを駆動し、オリジナル（ロック）位置からアンロック位置への下方向４０６にたわませることができる。ロックアーム１２２Ａと１２２Ｂのそれぞれは、それぞれ、上方向４０８に突出するラッチ１２４Ａと１２４Ｂを有している。１組の作動アーム１２６Ａ、１２６Ｂがオリジナル位置にあるとき、各ロックアーム１２２Ａ、１２２Ｂのラッチ１２４Ａ、１２４Ｂは、ロック位置のままであることが可能である。スロット１０７への回路基板５０の挿入プロセスの間、回路基板５０は、クリアランス１０７Ｂを形成するようにラッチ１２４Ａ、１２４Ｂをたわませ、スロット１０７中に配置される回路基板５０が、回路基板コネクタ１００との電気的な接続を確立できるようにする。回路基板５０が完全にスロット１０７中に挿入されるとき、ラッチ１２４Ａ、１２４Ｂは、ロック位置へ戻り、クリアランス１０７Ｂをブロックし、回路基板５０の保持部分５１を係合する。
【００１０】
回路基板コネクタ１００から回路基板５０を取り外すことが望まれるとき、１組の作動アーム１２６Ａ、１２６Ｂは、外力を受け取ると、オリジナル位置からたわんだ位置へと変形され、１組のロックアーム１２２Ａ、１２２Ｂに対してバイアスされ、次に、ラッチ１２４Ａ、１２４Ｂをアンロック位置に動かし、回路基板５０の保持部分５１との係合を解除する。回路基板５０は、スロット１０７から取り除かれ、回路基板コネクタ１００から取り外されることができる。
【００１１】
作動部材１２０は、１組の作動アーム１２６Ａと１２６Ｂをその間に接続する横材（ｂｅａｍ）１２８を有している。横材１２８は、オリジナル位置からたわんだ位置に１組の作動アーム１２６Ａ、１２６Ｂを移動する外力を受け取る。
【００１２】
作動部材１２０は、横材１２８に接続されている１組の側板１２１Ａ、１２１Ｂを有していてもよい。１組の側板１２１Ａ、１２１Ｂは、ハウジング１１０に固定して取り付けられている。横材１２８と１組の作動アーム１２６Ａ、１２６Ｂは、１組の側板１２１Ａ、１２１Ｂに対して弾性的に変形可能である。
【００１３】
回路基板５０を回路基板コネクタ１００に接続するプロセスを、図１０Ａ、１０Ｂおよび１０Ｃに関連してさらに説明する。回路基板５０は、方向５０Ａに沿って、前側１０２から回路基板コネクタ１００に挿入される。その後、回路基板５０は、図１０Ａに示されるように、挿入パスの前に位置付けられているラッチ１２４Ａと１２４Ｂの傾斜面１２４２Ａと１２４２Ｂに接触する。方向５０Ａに沿った回路基板５０の前進は、ラッチ１２４Ａと１２４Ｂの傾斜面１２４２Ａと１２４２Ｂに圧力をかけ、それにより、ロックアーム１２２Ａと１２２Ｂは、図１０Ａに示されるようなロック位置から図１０Ｂに示されるようなアンロック位置へと下方向４０６にたわむようにバイアスされ、ラッチ１２４Ａは、挿入パスから離れてたわんで、クリアランス１０７Ｂを形成し、回路基板５０が通過できるようにする。回路基板５０がさらに挿入されると、開口５２と５４は、それぞれ、ラッチ１２４Ａ、１２４Ｂと並び、ラッチ１２４Ａと１２４Ｂがオリジナル（ロック）位置に戻ることを可能にし、それにより、回路基板５０を電気コネクタ１００にロックする。回路基板と回路基板コネクタとの間に電気的接続が確立され、維持される。
【００１４】
図１１Ａ、１１Ｂおよび１１Ｃは、回路基板コネクタ１００から回路基板５０を取り外すプロセスを示している。最初に、同時に作動アーム１２６Ａおよび１２６Ｂを下方向４０６に動かす外力４１０によって、金属シールド１２０の横材１２８が下方向４０６に押され、次に、作動アーム１２６Ａは、ロックアーム１２２Ａ、１２２Ｂを駆動し、下方向４０６にたわませ、ラッチ１２４Ａと１２２Ｂを回路基板５０の開口５２、５４から動かし、図１１Ｂ中に示すようなアンロック位置にスロット１０７中のクリアランスを形成させる。回路基板５０は、回路基板コネクタ１００から取り外すことが可能である。
【００１５】
別の実施形態にしたがうと、図１２から図１６に示すように、電気コネクタ１００’は、ハウジング１１０に移動可能に取り付けられているストッパー１４０を含んでいる。ストッパー１４０は、中間部１４４と中間部１４２に横方向に接続されている１組の側部１４２を有している。
【００１６】
ストッパー１４０は、ハウジング１１０に移動可能に取り付けられている。ハウジング１１０と横材１２８との間の空間に位置付けられると、ストッパー１４０は、１組の作動アーム１２６Ａ、１２６Ｂがロック位置からアンロック位置にたわむことを防ぐ。ストッパー１４０が空間から取り除かれた後、１組の作動アーム１２６Ａ、１２６Ｂが、ロック位置からアンロック位置にたわむことを可能にする。
【００１７】
図１７Ａ、１７Ｂおよび１７Ｃは、回路基板５０を回路基板コネクタ１００’に接続するプロセスを図示しており、図１０Ａ、１０Ｂおよび１０Ｃに関連して上記に図示したプロセスと類似している。回路基板５０が完全にスロット１０７に挿入された後、ストッパー１４０は、ハウジング１１０と横材１２８との間の空間に配置され、作動アーム１２６Ａ、１２６Ｂのロックアーム１２２Ａ、１２２Ｂに向かったたわみを回避する。このように、ラッチ１２４Ａ、１２４Ｂは、開口５２、５４から動くことを妨げられるが、回路基板５０の部分５１を保持部分を係合したままである。
【００１８】
図１８Ａ、１８Ｂ、１８Ｃおよび１８Ｄを参照すると、電気コネクタ１００'から回路基板５０を取り外すために、ストッパー１４０は、まずハウジング１１０と作動部材１２０の横材１２８との間の空間から離れた方向１４０Ａに沿って引っ張られ、作動部材１２０の横材１２８の上部１２８ａが外力４１０によって下方向４０６に動くことを可能にする。後続するプロセスステップは、図１１Ａ、図１１Ｂおよび図１１Ｃに関連して上記で説明したように、回路基板５０を電気コネクタ１００から取り外すプロセスに類似している。回路基板５０が電気コネクタ１００’から取り除かれた後、ストッパー１４０は方向１４０Ｂに沿って押し戻され、回路基板を再度接続するために、ハウジング１１０と作動部材１２０の横材１２８との間に位置付けられてもよい。このような方法で、ストッパー１４０は、回路基板コネクタからの回路基板の望まれない除去を回避するために、２次ロックを提供する。
【００１９】
図１９、２０Ａ、２０Ｂおよび２１中に描いたようなさらに別の実施形態にしたがうと、回路基板コネクタ２００は、ハウジング２１０、ハウジング２１０に取り付けられている作動部材２２０、および、ハウジング２１０中に配置されている少なくとも１つの信号接触２２９を備えている。回路基板５０は、ハウジング２１０の前側２０２から回路基板コネクタ２００に挿入される。回路基板５０は、回路基板コネクタ２００と係合するために側面に形成されている２つの開口またはノッチ５２、５４を有している。作動部材２２０は、ハウジング２１０の前側２０２に向かって、ベース部材２２７から伸張する少なくとも１つのアース端子２２９を有している。アース端子２３０は、信号接触２２９の接触部分２２９Ａに関してスロット２０７の反対側に配置されている接触部分２３０Ａを有している。
【００２０】
図２２Ａ、２２Ｂ、２３、２４Ａおよび２４Ｂに示されるように、作動部材２２０は、ベース部材２２７、２つのジョイント部材２２７Ａを通してベース部材２２７に接続されている横材２２８、および、横材２２８に接続されている１組の作動アーム２２６Ａ、２２６Ｂを有している。ベース部材２２７は、ハウジング２１０に固定して取り付けられ、横材２２８および１組の作動アーム２２６Ａ、２２６Ｂは、ベース部材２２７に体して弾性的に変形可能である。
【００２１】
ジョイント部材２２７Ａは、ベース部材２２７に対して横材２２８の弾性的なたわみを可能にする。少なくとも１つのアース端子２２９は、ベース部材２２７から伸張し、ベース部材２２７に対して上方向５０８および下方向５０６にたわむことができる。作動部材２２０は、ベース部材２２７に接続されている１組の側板２２１Ａ、２２１Ｂを有していてもよい。１組の側板２２１Ａ、２２１Ｂは、ハウジング２１０に固定して取り付けられ、横材２２８と１組の作動アーム２２６Ａ、２２８Ｂは、１組の側板２２１Ａ、２２１Ｂおよびベース部材２２７に対して弾性的に変形可能である。
【００２２】
ロックアーム２２２Ａと２２２Ｂはハウジング２１０に取り付けられ、それぞれ作動アーム２２６Ａと２２６Ｂの下に位置付けられ、方向５０６に沿った作動アーム２２６Ａと２２６Ｂの下方の動きは、ロックアーム２２２Ａと２２２Ｂを駆動して、ロック位置からアンロック位置へと下方向５０６にたわむことができる。ロックアーム２２２Ａと２２２Ｂのそれぞれは、上方向５０８に突出するラッチ２２４Ａと２２４Ｂを有している。
【００２３】
図２６および図２７に示されるように、回路基板５０が完全にスロット２０７に挿入されるとき、ロックアーム２２２Ｂのラッチ２２４Ｂは、回路基板５０の右方向５０４の端に位置付けられている開口５４から突出している。同様に、図２６には示されていないが、ロックアーム２２２Ａのラッチ２２４Ａは、回路基板５０の左方向５０２の端に位置付けられている開口５２から突出している。このように、スロット２０７から回路基板５０の引き戻しを防ぐために、ラッチ２２４Ａ、２２４Ｂは、それぞれ、開口５２と５４と係合する。回路基板５０は、それにより、ロック突出２２４Ａと２２４Ｂによって回路基板コネクタ２００にロックされる。
【００２４】
回路基板５０を回路基板コネクタ２００に接続するプロセスを、図２８Ａ、２８Ｂおよび２８Ｃに関連してここで説明する。回路基板５０は、方向５０Ａに沿って、前側２０２から回路基板コネクタ２００のスロット２０７に挿入されることになる。回路基板５０は、その後、図２８Ａに示されるような挿入パスの前に位置付けられているラッチ２２４Ａと２２４Ｂの傾斜面２２４２Ａと２２４２Ｂに接触する。挿入方向５０Ａに沿った回路基板５０の前進は、ラッチ２２４Ａと２２４Ｂの傾斜面２２４２Ａと２２４２Ｂに圧力をかけ、これにより、回路基板５０は、ロックアーム２２２Ａと２２２Ｂを押し、図２８Ａに示されるオリジナル位置から図２８Ｂに示されるアンロック位置へと下方向５０６にたわみ、ロック突起２２４Ａは、スロット２０７の挿入パスから離れてたわみ、回路基板５０が通過できるようにする。回路基板５０は、スロット２０７にさらに挿入されると、開口５２、５４は、それぞれラッチ２２４Ａ、２２４Ｂと並び、したがって、ラッチ２２４Ａ、２２４Ｂは、ロックアーム２２２Ａと２２２Ｂの弾力により、そのオリジナル（ロックされた）位置に戻ることが可能であり、それにより、回路基板５０を回路基板コネクタ２００にロックする。この方法で、ロック突起２２４Ａと２２４Ｂにより、回路基板５０は、回路基板コネクタ２００にロックされ、回路基板コネクタ２００から取り外されることを防ぐ。柔軟な回路と電気コネクタとの間の電気的接続が確立され、維持される。
【００２５】
回路基板コネクタ２００から回路基板５０を取り外すプロセスを、図２９Ａ、２９Ｂおよび２９Ｃに関して以下に説明する。最初に、作動部材２２０の横材２２８は、外力５１０によって下方向５０６に押され、これは、同時に、下方向５０６に作動アーム２２６Ａと２２６Ｂを動かし、作動アーム２２６Ａは、次に、ラッチ２２２Ａと２２２Ｂを駆動して下方向５０６にたわませ、ラッチ２２４Ａと２２２Ｂを回路基板５０の開口５２、５４から図２９Ｂ中に示すようなアンロック位置に動かす。その後、回路基板は、回路基板コネクタ２００から取り除かれることができる。
【００２６】
本発明の実施形態は、添付の図面に関連して図示し、前述の詳細な説明に記載してきたが、本発明は、開示された実施形態に限定されるものではないことを理解すべきである。したがって、説明し、以下の特許請求の範囲によって規定された本発明の精神から逸脱することなく、本発明は、多数の再構成、修正、代替および置換が可能であると理解すべきである。
【図１】
2018526803.tif 000003
【図２】
2018526803.tif 000004
【図３】
2018526803.tif 000005
【図４Ａ】
2018526803.tif 000006
【図４Ｂ】
2018526803.tif 000007
【図４Ｃ】
2018526803.tif 000008
【図４Ｄ】
2018526803.tif 000009
【図４Ｅ】
2018526803.tif 000010
【図５】
2018526803.tif 000011
【図６Ａ】
2018526803.tif 000012
【図６Ｂ】
2018526803.tif 000013
【図７】
2018526803.tif 000014
【図８】
2018526803.tif 000015
【図９】
2018526803.tif 000016
【図１０Ａ】
2018526803.tif 000017
【図１０Ｂ】
2018526803.tif 000018
【図１０Ｃ】
2018526803.tif 000019
【図１１Ａ】
2018526803.tif 000020
【図１１Ｂ】
2018526803.tif 000021
【図１１Ｃ】
2018526803.tif 000022
【図１２】
2018526803.tif 000023
【図１３】
2018526803.tif 000024
【図１４】
2018526803.tif 000025
【図１５】
2018526803.tif 000026
【図１６】
2018526803.tif 000027
【図１７Ａ】
2018526803.tif 000028
【図１７Ｂ】
2018526803.tif 000029
【図１７Ｃ】
2018526803.tif 000030
【図１８Ａ】
2018526803.tif 000031
【図１８Ｂ】
2018526803.tif 000032
【図１８Ｃ】
2018526803.tif 000033
【図１８Ｄ】
2018526803.tif 000034
【図１９】
2018526803.tif 000035
【図２０】
2018526803.tif 000036
【図２１】
2018526803.tif 000037
【図２２Ａ】
2018526803.tif 000038
【図２２Ｂ】
2018526803.tif 000039
【図２２Ｃ】
2018526803.tif 000040
【図２３】
2018526803.tif 000041
【図２４】
2018526803.tif 000042
【図２５】
2018526803.tif 000043
【図２６】
2018526803.tif 000044
【図２７】
2018526803.tif 000045
【図２８Ａ】
2018526803.tif 000046
【図２８Ｂ】
2018526803.tif 000047
【図２８Ｃ】
2018526803.tif 000048
【図２９Ａ】
2018526803.tif 000049
【図２９Ｂ】
2018526803.tif 000050
【図２９Ｃ】
2018526803.tif 000051
【図３０Ａ】
2018526803.tif 000052
【図３０Ｂ】
2018526803.tif 000053
【国際調査報告】
2018526803.tif 000054
2018526803.tif 000055